(57)【特許請求の範囲】
【請求項１】
被固定部に並設された、端リブを入口に有する略Ｃ字状の蟻溝を両端部に備えた複数のデッキ材の端部間に配置され、相隣り合う前記デッキ材同士を連結するとともに前記被固定部に固定する固定具であって、
該固定具は、タッピングビスと、該タッピングビスにより前記被固定部に固定される固定具本体とを含み、
前記固定具本体は、前記タッピングビスが挿入されるビス孔が穿設された矩形の平板と、この平板の相対向する２組の辺のうち一方の組の辺からそれぞれ垂下された相互に高さが略等しい第１の縦壁及び第２の縦壁と、他方の組の辺からそれぞれ垂下された相互に高さが異なる第３の縦壁及び第４の縦壁とを備え、
前記第１及び第２の縦壁には、それぞれ、その下端の中央部より、前記デッキ材の並設間隔を規定する舌片が下方に延設され、
前記第３及び第４の縦壁のいずれか一方の縦壁の高さは、前記第１及び第２の縦壁よりも高く設定される反面、他方の縦壁の高さは第１及び第２の縦壁よりも低く設定され、
前記デッキ材の連結固定時において、前記第３及び第４の縦壁のうち高さの高い方の縦壁の下端が一方のデッキ材の蟻溝に挿入係止されるとともに、高さの低い方の縦壁の下端が他方のデッキ材の前記端リブ上に配置され、且つ前記両舌片が相隣り合うデッキ材の間に配置されることを特徴とする固定具。
【請求項２】
請求項１に記載の固定具において、
前記ビス孔には、その内周縁に、前記タッピングビスのネジ山の間に挿入され該タッピングビスを前記固定具本体に自立させる係止片が設けられたことを特徴とする固定具。
【請求項３】
請求項１に記載の固定具において、
前記第３及び第４の縦壁のいずれか一方の縦壁から前記固定具本体の平板と平行な補助片が該平板の下方位置に延出されるとともに、この補助片に補助孔が前記ビス孔と同軸上に形成され、前記ビス孔及び補助孔のいずれか一方には、その内周縁に、前記タッピングビスのネジ山の間に挿入され該タッピングビスを前記固定具本体に自立させる係止片が設けられたことを特徴とする固定具。
【請求項４】
請求項２又は３に記載の固定具において、
前記ビス孔又は補助孔に設けられた係止片は、当該孔の内方に向けて９０度の間隔で突設した４個の係止片のうちの１個を削除することにより３個とされたことを特徴とする固定具。
【請求項５】
請求項１〜４のいずれか１項に記載の固定具において、
前記第１と第２の縦壁の下端に、前記デッキ材の端リブに食い込む鋸歯状の食い込み部が形成されたことを特徴とする固定具。
【請求項６】
被固定部に並設された、端リブを入口に有する略Ｃ字状の蟻溝を両端部に備えた複数のデッキ材の連結固定構造であって、
被固定部に前記複数のデッキ材が並設され、相隣り合うデッキ材の端部間に、請求項１〜４のいずれか１項に記載の固定具の固定具本体が配置され、固定具本体の第３及び第４の縦壁のうち高さの高い方の縦壁の下端が一方のデッキ材の蟻溝に挿入係止されるとともに、高さの低い方の縦壁の下端が他方のデッキ材の前記端リブ上に配置され、且つ前記両舌片が相隣り合うデッキ材の間に配置されることによりデッキ材の並設間隔が規定され、前記固定具本体のビス孔に挿入されたタッピングビスが前記被固定部に螺入され、以て複数のデッキ材同士が連結されるとともに被固定部に固定されたことを特徴とするデッキ材の連結固定構造。
【請求項７】
被固定部に並設された、端リブを入口に有する略Ｃ字状の蟻溝を両端部に備えた複数のデッキ材の連結固定構造であって、
被固定部に前記複数のデッキ材が並設され、相隣り合うデッキ材の端部間に、請求項５に記載の固定具の固定具本体が配置され、固定具本体の第３及び第４の縦壁のうち高さの高い方の縦壁の下端が一方のデッキ材の蟻溝に挿入係止されるとともに、高さの低い方の縦壁の下端が他方のデッキ材の前記端リブ上に配置され、さらに固定具本体の第１及び第２の縦壁の下端に形成された食い込み部がデッキ材の端リブに食い込まされ、且つ前記両舌片が相隣り合うデッキ材の間に配置されることによりデッキ材の並設間隔が規定され、前記固定具本体のビス孔に挿入されたタッピングビスが前記被固定部に螺入され、以て複数のデッキ材同士が連結されるとともに被固定部に固定されたことを特徴とするデッキ材の連結固定構造。
【請求項８】
端リブを入口に有する略Ｃ字状の蟻溝を両端部に備えた複数のデッキ材同士を連結するとともに被固定部に固定するデッキ材の連結固定方法であって、
前記被固定部に配置した１枚目のデッキ材の蟻溝に、請求項１〜５のいずれか１項に記載の固定具の固定具本体における第３及び第４の縦壁のうち高さの高い方の縦壁の下端を挿入係止させる固定具本体係止工程と、
前記被固定部に配置する２枚目のデッキ材を前記固定具本体の舌片を介して前記１枚目のデッキ材に隣接させるとともに、この２枚目のデッキ材の前記端リブを前記固定具本体における第３及び第４の縦壁のうち高さの低い方の縦壁の下端直下に位置させるデッキ材隣接配置工程と、
前記１枚目と２枚目のデッキ材の間に配置された前記固定具の固定具本体を前記固定具のタッピングビスで前記被固定部に締着させる固定具締着工程と、
を含み、
前記固定具本体係止工程、デッキ材隣接配置工程、固定具締着工程の順に繰り返すことにより複数のデッキ材同士を連結するとともに被固定部に固定することを特徴とするデッキ材の連結固定方法。
【請求項９】
請求項８に記載のデッキ材の連結固定方法において、
さらに、前記固定具本体係止工程においてデッキ材の蟻溝に係止された固定具本体を、固定具のタッピングビスで前記被固定部に仮固定する固定具本体仮固定工程を含み、
前記固定具本体係止工程、固定具本体仮固定工程、デッキ材隣接配置工程、固定具締着工程の順に繰り返すことにより複数のデッキ材同士を連結するとともに被固定部に固定することを特徴とするデッキ材の連結固定方法。
【発明の詳細な説明】
【技術分野】
【０００１】
本発明は、例えば、遊歩道や公園施設において設置されるベンチやテーブル、八ツ橋、ボードウォークの他、競技場観覧席、或いはベランダやテラスの直貼り式デッキにおいて、仕上材として使用される合成樹脂、合成木材、天然木材製のデッキ材を、例えば根太材などの被固定部に固定する固定具及びそれを用いたデッキ材の連結固定構造並びにデッキ材の連結固定方法に関する。
【背景技術】
【０００２】
従来、デッキ材を根太材（被固定部）に固定する連結構造としては、デッキ材の間にデッキ材の一部を嵌着可能な取付金具を取り付け、一方のデッキ材を取付金具にて固定してから他方のデッキ材を根太材上を滑らせて取付金具に嵌着し、更に取付金具を取り付けることで、順次デッキ材を根太材上に固定して行く方法が、工程が簡便で、デッキ材の取り付けが確実に行われることからよく用いられてきている。【０００３】
この様な方法に用いるデッキ材の固定具としては、例えば、特許文献１に開示されているようなデッキ材取付金具がある。このデッキ材取付金具は、長手方向の両側面に長手方向に延びる溝状部が形成されてなる複数個の長尺状のデッキ材を施工面上に並列状に配置するための金具であって、上記隣り合うデッキ材の対向する側面間に介装され、上記施工面に取付可能な取付部をもつ金具体に、該隣り合う一方のデッキ材の側面に形成された溝状部及び他方のデッキ材の側面に形成された溝状部にそれぞれ挿入可能な互いに反対向きの挿入部を設け、かつ、該挿入部に該溝状部の少なくとも内底面に弾接可能な弾性材を設けてなる。このようになるデッキ材取付金具は、取付部に形成された取付穴に固定ネジを螺入することにより根太材と固定される。
【先行技術文献】
【特許文献】
【０００４】
【特許文献１】特開２００８−１０６５５６号公報
【発明の概要】
【発明が解決しようとする課題】
【０００５】
しかしながら、特許文献１に記載のような従来の固定具では、隣り合う一方のデッキ材の側面に形成された溝状部にデッキ材取付金具の一方の挿入部を挿入した後、取付部に形成された取付穴にネジを螺入して、根太材にデッキ材取付金具を固定し、次いで前記デッキ材に隣り合う他方のデッキ材の側面に形成された溝状部を前記デッキ材取付金具の他方の挿入部に挿入して、他方のデッキ材を根太材上に載置し、次のデッキ材取付金具を次の隣り合うデッキ材の側面に形成された溝状部に挿入して根太材にネジで固定するという作業を繰り返して、デッキ材を施工面上に並列状に配置するようになされているため、一度並列状にデッキ材を配置すると、補修など部分的にデッキ材を取り外す場合でも、施工面の端部から所定の部位までの複数のデッキ材を全て取り外すという非常に煩わしく、且つかつ施工性が良いとは言い辛い問題点があった。【０００６】
さらに、デッキ材の側面に形成された溝状部にデッキ材取付金具の挿入部を挿入できる様に、溝状部とデッキ材下面との寸法と、デッキ材取付金具の取付部と挿入部との寸法を正確に合わせる必要があることから、かなりの寸法精度を要するため、デッキ材取付金具の加工・検品に時間を要するものであった。【０００７】
本発明は、かかる点に鑑みてなされたものであり、その目的とするところは、施工性及び加工性が改善された固定具及びそれを用いたデッキ材の連結固定構造並びに連結固定方法を提供することにある。
【課題を解決するための手段】
【０００８】
上記目的を達成するために、本発明は次のような構成としている。【０００９】
−固定具−
本発明に係る固定具は、被固定部に並設された、端リブを入口に有する略Ｃ字状の蟻溝を両端部に備えた複数のデッキ材の端部間に配置され、相隣り合う前記デッキ材同士を連結するとともに前記被固定部に固定する固定具である。【００１０】
該固定具は、タッピングビスと、該タッピングビスにより前記被固定部に固定される固定具本体とを含む。【００１１】
前記固定具本体は、前記タッピングビスが挿入されるビス孔が穿設された矩形の平板と、この平板の相対向する２組の辺のうち一方の組の辺からそれぞれ垂下された相互に高さが略等しい第１の縦壁及び第２の縦壁と、他方の組の辺からそれぞれ垂下された相互に高さが異なる第３の縦壁及び第４の縦壁とを備える。【００１２】
前記第１及び第２の縦壁には、それぞれ、その下端の中央部より、前記デッキ材の並設間隔を規定する舌片が下方に延設されている。【００１３】
前記第３及び第４の縦壁のいずれか一方の縦壁の高さは、前記第１及び第２の縦壁よりも高く設定される反面、他方の縦壁の高さは第１及び第２の縦壁よりも低く設定されている。【００１４】
このようになる固定具は、前記デッキ材の連結固定時において、前記第３及び第４の縦壁のうち高さの高い方の縦壁の下端が一方のデッキ材の蟻溝に挿入係止されるとともに、高さの低い方の縦壁の下端が他方のデッキ材の前記端リブ上に配置され、且つ前記両舌片が相隣り合うデッキ材の間に配置される。【００１５】
上記の固定具において、前記ビス孔には、その内周縁に、前記タッピングビスのネジ山の間に挿入され該タッピングビスを前記固定具本体に自立させる係止片が設けられていてもよい。【００１６】
上記の固定具において、前記第３及び第４の縦壁のいずれか一方の縦壁から前記固定具本体の平板と平行な補助片が該平板の下方位置に延出されるとともに、この補助片に補助孔が前記ビス孔と同軸上に形成され、前記ビス孔及び補助孔のいずれか一方には、その内周縁に、前記タッピングビスのネジ山の間に挿入され該タッピングビスを前記固定具本体に自立させる係止片が設けられていてもよい。【００１７】
上記のビス孔又は補助孔に設けられた係止片は、当該孔の内方に向けて９０度の間隔で突設した４個の係止片のうちの１個を削除することにより３個とされているのが好ましい。【００１８】
上記の固定具において、前記第１と第２の縦壁の下端に、前記デッキ材の端リブに食い込む鋸歯状の食込み部が形成されていてもよい。【００１９】
−デッキ材の連結固定構造−
本発明に係るデッキ材の連結固定構造は、被固定部に並設された、端リブを入口に有する略Ｃ字状の蟻溝を両端部に備えた複数のデッキ材の連結固定構造であって、被固定部に前記複数のデッキ材が並設され、相隣り合うデッキ材の端部間に、請求項１〜４のいずれか１項の発明に係る固定具の固定具本体が配置され、固定具本体の第３及び第４の縦壁のうち高さの高い方の縦壁の下端が一方のデッキ材の蟻溝に挿入係止されるとともに、高さの低い方の縦壁の下端が他方のデッキ材の前記端リブ上に配置され、且つ前記両舌片が相隣り合うデッキ材の間に配置されることによりデッキ材の並設間隔が規定され、前記固定具本体のビス孔に挿入されたタッピングビスが前記被固定部に螺入され、以て複数のデッキ材同士が連結されるとともに被固定部に固定されたことを特徴とするものである。【００２０】
また、本発明に係るデッキ材の連結固定構造は、被固定部に並設された、端リブを入口に有する略Ｃ字状の蟻溝を両端部に備えた複数のデッキ材の連結固定構造であって、被固定部に前記複数のデッキ材が並設され、相隣り合うデッキ材の端部間に、請求項５の発明に係る固定具の固定具本体が配置され、固定具本体の第３及び第４の縦壁のうち高さの高い方の縦壁の下端が一方のデッキ材の蟻溝に挿入係止されるとともに、高さの低い方の縦壁の下端が他方のデッキ材の前記端リブ上に配置され、さらに固定具本体の第１及び第２の縦壁の下端に形成された食込み部がデッキ材の端リブに食い込まされ、且つ前記両舌片が相隣り合うデッキ材の間に配置されることによりデッキ材の並設間隔が規定され、前記固定具本体のビス孔に挿入されたタッピングビスが前記被固定部に螺入され、以て複数のデッキ材同士が連結されるとともに被固定部に固定されたことを特徴とするものである。【００２１】
−デッキ材の連結固定方法−
本発明に係るデッキ材の連結固定方法は、端リブを入口に有する略Ｃ字状の蟻溝を両端部に備えた複数のデッキ材同士を連結するとともに被固定部に固定するデッキ材の連結固定方法であって、前記被固定部に配置した１枚目のデッキ材の蟻溝に、上記した固定具の固定具本体における第３及び第４の縦壁のうち高さの高い方の縦壁の下端を挿入係止させる固定具本体係止工程と、前記被固定部に配置する２枚目のデッキ材を前記固定具本体の舌片を介して前記１枚目のデッキ材に隣接させるとともに、この２枚目のデッキ材の前記端リブを前記固定具本体における第３及び第４の縦壁のうち高さの低い方の縦壁の下端直下に位置させるデッキ材隣接配置工程と、前記１枚目と２枚目のデッキ材の間に配置された前記固定具の固定具本体を前記固定具のタッピングビスで前記被固定部に締着させる固定具締着工程と、を含み、前記３つの工程を、固定具本体係止工程、デッキ材隣接配置工程、固定具締着工程の順に繰り返すことにより複数のデッキ材同士を連結するとともに被固定部に固定することを特徴とするものである。【００２２】
上記のデッキ材の連結固定方法において、さらに、前記固定具本体係止工程においてデッキ材の蟻溝に係止された固定具本体を、固定具のタッピングビスで前記被固定部に仮固定する固定具本体仮固定工程を含んでいてもよく、その場合、前記４つの工程を、固定具本体係止工程、固定具本体仮固定工程、デッキ材隣接配置工程、固定具締着工程の順に繰り返すことにより複数のデッキ材同士を連結するとともに被固定部に固定することを特徴とするものである。
【発明の効果】
【００２３】
本発明によれば、次のような効果を奏する。【００２４】
すなわち、第１と第２の縦壁の中央部に設けられた舌片により、相隣り合うデッキ材を所定の幅をおいて整然と並設することができる。【００２５】
また、固定具本体の第３及び第４の縦壁のうち高さの高い方の縦壁の下端が一方のデッキ材の蟻溝に挿入係止されるとともに、高さの低い方の縦壁の下端が他方のデッキ材の端リブ上に配置されるため、部分的にデッキ材を取替えする場合に、取り替え対象のデッキ材の周囲の固定具を取り外すだけでデッキ材の取替えができる。したがって、短時間でデッキ材の取替え作業を実施することができる。【００２６】
また、固定具本体のビス孔に係止片が内方に向けて突設されている場合は、該係止片をタッピングビスのねじ山の間に挿入させて、該タッピングビスを固定具本体に自立させることができるため、被固定部に固定具を配置し、タッピングビスを螺入して被固定部を固定具により固定する作業において、タッピングビスに手を添えて締め込む必要がない。さらに、タッピングビスを固定具本体に自立させることができるため、予めタッピングビスを固定具本体のビス孔及び補助孔に挿入してタッピングビスを固定具本体に取り付けておくことができる。したがって、タッピングビスが予め装着された状態の固定具をデッキ材の蟻溝に挿入、係止した後、隣のデッキ材を配置する際、タッピングビスを介して固定具本体を支持することができるため、デッキ材の配置作業を効率よく行うことができる。これに加えて、タッピングビスが、その頭部がデッキ材とデッキ材との間からデッキ材の上面より上方に突出した状態で自立しているので、デッキ材同士の間の奥に配置されている固定具本体のビス孔を狙ってタッピングビスを挿入（螺入）するといった煩わしさがなく、タッピングビスの締め付け作業を効率よく行うことができる。【００２７】
また、固定具本体の第３及び第４の縦壁のいずれか一方の縦壁に補助片が設けられるとともにこの補助片に補助孔がビス孔と同軸上に形成されている場合には、ビス孔または補助孔のいずれかが自立したタッピングビスのガイドとなり、被固定物に対して真直ぐにタッピングビスを螺入することができる。【００２８】
また、ビス孔又は補助孔に設けられた係止片を、当該孔の内方に向けて９０度の間隔で突設した４個の係止片のうちの１個の係止片を削除することにより３個とした場合は、螺旋状に形成されているタッピングビスの谷部を３個の係止片により支持しながら、１個の係止片が削除された部分でタッピングビスのねじ山を逃がすことができる。このため、タッピングビスをほぼ直立させることができ、タッピングビスを螺入して被固定部を固定する作業を効率的に実施することができる。【００２９】
また、固定具本体の第１と第２の縦壁の下端に、デッキ材の端リブに食い込む鋸歯状の食い込み部が形成されている場合には、食い込み部がデッキ材の端リブに食い込むため、デッキ材を被固定部に強固に固定することができる。【００３０】
また、固定具本体は、その第３及び第４の縦壁のいずれか一方をデッキ材の蟻溝に挿入係止し、他方をデッキ材の蟻溝の端リブに配置させるだけでよいから、前記従来のデッキ材取付金具ほどの高い寸法精度を要しない。したがって、その分固定具の加工・検品に時間がかからず、コストの低減化が可能となる。【００３１】
また、固定具のタッピングビスで固定具本体を被固定部に仮固定する場合は、被固定部に載置された１枚目のデッキ材が仮固定されることになるため、２枚目のデッキ材を被固定部上に載置して隣接させる際、仮に２枚目のデッキ材が１枚目のデッキ材に直接又は固定具本体を介して勢いよく当たるようなことがあっても、１枚目のデッキ材が被固定部上でずれることがない。このため、すべてのデッキ材を被固定部上の所定の位置に載置することができる。
【図面の簡単な説明】
【００３２】
【図１】図１は、本発明に係る固定具を構成する固定具本体の実施の一形態を示す斜視図である。
【図２】図２は、図１に示す固定具本体を裏側から見た斜視図である。
【図３】図３は、本発明に係る固定具の実施の一形態を示す斜視図である。
【図４】図４は、図３のＡ−Ａ断面拡大図である。
【図５】図５（ａ）〜（ｃ）は、それぞれ、係止片の変形例を示す図４に相当する断面拡大図である。
【図６】図６は、本発明に係る固定具を構成する固定具本体の実施の他の形態を示し、固定具本体を裏側から見た斜視図である。
【図７】図７は、本発明に係るデッキ材の連結固定構造を示す斜視図である。
【図８】図８は、本発明に係る固定具を用いてデッキ材を固定する説明図である。
【図９】図９は、本発明に係るデッキ材の連結固定構造を示す正面図である。
【図１０】図１０は、本発明に係るデッキ材の連結固定構造におけるデッキ材の取り外し手順を説明する正面図である。
【図１１】図１１は、本発明に係るデッキ材の連結固定構造におけるデッキ材の取り外し手順を説明する正面図である。
【図１２】図１２は、本発明に係るデッキ材の連結固定構造におけるデッキ材の取り外し手順を説明する正面図である。
【図１３】図１３は、本発明に係るデッキ材の連結固定構造におけるデッキ材の取り外し手順を説明する正面図である。
【発明を実施するための形態】
【００３３】
以下、本発明の実施の形態を図面に基づいて説明する。
【００３４】
−固定具の説明−
本発明に係る固定具Ｐは、図７〜図９に示すように、被固定部５に並設された、端リブ４４を入口に有する略Ｃ字状の蟻溝４３を両端部に備えた複数のデッキ材４の端部間に配置され、相隣り合うデッキ材４同士を連結するとともに被固定部５に固定するものである。
【００３５】
固定具Ｐは、図１〜図３に示すように、タッピングビス２と、タッピングビス２により被固定部５に固定される固定具本体１とを含む。
【００３６】
固定具本体１は、タッピングビス２が挿入されるビス孔１０が穿設された矩形の平板１１と、この平板１１の相対向する２組の辺のうち一方の組の辺からそれぞれ垂下された相互に高さＨが略等しい第１の縦壁１２及び第２の縦壁１３と、他方の組の辺からそれぞれ垂下された相互に高さが異なる第３の縦壁１４及び第４の縦壁１５とを備える。
【００３７】
第１の縦壁１２及び第２の縦壁１３には、それぞれ、その下端の中央部より、デッキ材４の並設間隔を規定する舌片１６が下方に延設されている。
【００３８】
第３の縦壁１４の高さは、第１の縦壁１２び第２の縦壁１３の高さＨよりも高く設定される反面、第４の縦壁１５の高さは第１の縦壁１２及び第２の縦壁１３の高さＨよりも低く設定されている。
【００３９】
上記の固定具Ｐにおいて、タッピングビス２の外径より大きな径で穿設されたビス孔１０には、その内周縁に、タッピングビス２のねじ山２１の間（タッピングビス２の谷部２２）に挿入されタッピングビス２を固定具本体１に自立させる係止片３が設けられている。本実施の形態では、上記係止片３は、ビス孔１０の内方に向けて９０度の間隔で突設した４個の係止片３のうちの１個の係止片３を削除することにより３個とされている。ここで、係止片３をタッピングビス２のねじ山２１の間に挿入させて、螺旋状に形成されているタッピングビス２の谷部２２を３個の係止片３により支持しながら、１個の係止片３が削除された如き形状の部分３Ｘでタッピングビス２のねじ山２１を逃がすようにしていることにより、タッピングビス２をほぼ直立させることができる。
【００４０】
なお、係止片３の形態は上記した例に限るものではない。すなわち、図５（ａ）に示すように、２個の係止片３を１８０度の間隔で設けてもよい。また、図５（ｂ）に示すように、３個の係止片３を１２０度の間隔で設けてもよい。あるいは、図５（ｃ）に示すように、一部を切り欠いた１個の係止片３を設けてもよい。要するに、タッピングビス２のねじ山２１を逃がす部分３Ｘが最低１箇所あれば、係止片３の個数は限定されない。
【００４１】
また、ビス孔１０の周囲には、円形状に平板１１を下方に凹ました凹み部２０が形成されている。これは、凹み部２０を設けることによって、平坦なままの平板１１に比べ強度を向上させるためである。この凹み部２０が設けられていることにより、タッピングビス２を締め込んでタッピングビス２頭でビス孔１０周辺の平板１１を押圧した状態において、平板１１が下方に撓むことがないため、余分にタッピングビス２を締め込むことなく、後述するデッキ材４を強固に固定することができる。
【００４２】
上記の固定具Ｐにおいて、図２に示すように、第３の縦壁１４から固定具本体１の平板１１と平行な補助片１８が平板１１の下方位置に延出されている。この補助片１８には補助孔１９がビス孔１０と同軸上に形成されている。
【００４３】
なお、本実施形態においては、ビス孔１０に係止片３を形成しているが、図６に示すように、補助孔１９をビス孔１０とし、補助孔１９に係止片３を形成するようにしてもよい。
【００４４】
また、第３の縦壁１４の高さを第１と第２の縦壁１２，１３の高さＨより高くし、第４の縦壁１５の高さを第１と第２の縦壁１２，１３の高さＨより低くしているが、勿論その逆でもよい。要するに、第３または第４の縦壁１４，１５の一方が第１と第２の縦壁１２，１３の高さＨより高くなされ、他方が低くなされていればよい。また、第３の縦壁１４の中央部を平板１１と平行に折曲して補助片１８を形成しているが、図６に示すように、第４の縦壁１５の中央部を平板１１と平行に折曲して補助片１８を形成してもよい。
【００４５】
上記の固定具Ｐにおいて、第１の縦壁１２と第２の縦壁１３の下端には、デッキ材４の端リブ４４に食い込む鋸歯状の食込み部１７が形成されている。
【００４６】
以上のようになる固定具Ｐは、図７〜図９に示すように、デッキ材４の連結固定時において、第３の縦壁１４の下端が一方のデッキ材４の蟻溝４３に挿入係止されるとともに、第４の縦壁１５の下端が他方のデッキ材４の端リブ４４上に配置され、且つ両舌片１６，１６が相隣り合うデッキ材４，４の間に配置される。
【００４７】
−デッキ材の連結固定方法−
上記固定具Ｐを用いて相隣り合うデッキ材４同士を連結すると共に、複数のデッキ材４，４，・・・を互いに並設して根太材（被固定部）５に固定してデッキＤを形成する方法について説明する。ここで、デッキ材４は、中空平板状に左右対称形状に形成され、上下の平坦部４１と４個の縦リブ４２が長手方向に設けられて、さらにデッキ材４の両端部には蟻溝４３が形成されたものである。
【００４８】
デッキ材４の連結固定方法の実施形態としては、次の４つのパターンが挙げられる。以下、各パターンについて詳述する。
【００４９】
＜第１パターン＞
まず、タッピングビス２を固定具本体１のビス孔１０及び補助孔１９に挿入してタッピングビス２を固定具本体１に取り付けておく。
【００５０】
次に、タッピングビス２が予め取り付けられた状態の固定具Ｐの固定具本体１における第３の縦壁１４を、根太材５上に配置されたデッキ材（１枚目のデッキ材）４の蟻溝４３に引っ掛けた後、相隣り合うデッキ材（２枚目のデッキ材）４を根太材５上に載置して隣接させる。
【００５１】
そして、固定具Ｐのタッピングビス２を固定具本体１のビス孔１０から補助孔１９を貫通して根太材５に螺入すれば、第１と第２の縦壁１２，１３の舌片１６の両側に位置する食込み部１７，１７がデッキ材４の端リブ４４に食込んでいき、固定具本体１の舌片１６の幅Ｗだけ間隔をあけて、相隣り合うデッキ材４同士が強固に連結される。
【００５２】
以下、順次、前記作業を繰り返すことにより、複数のデッキ材４，４，・・・が互いに並設されデッキＤが形成される。この際、舌片１６の幅Ｗ分の間隔で、等間隔に複数のデッキ材４，４，・・・が整然と配置されるため、外観的に美しいデッキＤが形成される。また、食込み部１７により強固に端リブ４４が固定されるので、設置場所の雰囲気温度の差により発生するデッキ材４の伸縮を抑えることができる。
【００５３】
このパターンの場合、タッピングビス２を介して固定具本体１を支持することができるため、デッキ材４の配置作業を効率よく行うことができる。また、タッピングビス２が、その頭部がデッキ材４とデッキ材４との間からデッキ材４の上面より上方に突出した状態で自立しているので、デッキ材４同士の間の奥に配置されている固定具本体１のビス孔１０を狙ってタッピングビス２を挿入（螺入）するといった煩わしさがなく、タッピングビス２の締め付け作業を効率よく行うことができる。このような点から、このパターン１が、後述するパターン２〜４に比べて最も好ましい実施形態である。
【００５４】
＜パターン２＞
まず、根太材５上に配置されたデッキ材（１枚目のデッキ材）４の蟻溝４３に、固定具本体１の第３の縦壁１４を引っ掛けた後、タッピングビス２を固定具本体１のビス孔１０に挿入する。
【００５５】
次に、相隣り合うデッキ材（２枚目のデッキ材）４を根太材５上に載置して隣接させる。この時、図８に示すように、第３の縦壁１４を蟻溝４３に挿入・係止して固定具Ｐを仮置きすることができるため、２枚目のデッキ材４を配置する間、固定具Ｐを手で支持する必要はなく、効率的に作業を実施することができる。
【００５６】
そして、固定具Ｐのタッピングビス２を固定具本体１のビス孔１０から補助孔１９を貫通して根太材５に螺入すれば、第１と第２の縦壁１２，１３の舌片１６の両側に位置する食込み部１７，１７がデッキ材４の端リブ４４に食込んでいき、固定具本体１の舌片１６の幅Ｗだけ間隔をあけて、相隣り合うデッキ材４同士が強固に連結される。
【００５７】
以下、順次、前記作業を繰り返すことにより、複数のデッキ材４，４，・・・が互いに並設されデッキＤが形成される。この際、舌片１６の幅Ｗ分の間隔で、等間隔に複数のデッキ材４，４，・・・が整然と配置されるため、外観的に美しいデッキＤが形成される。また、食込み部１７により強固に端リブ４４が固定されるので、設置場所の雰囲気温度の差により発生するデッキ材４の伸縮を抑えることができる。
【００５８】
このパターンの場合、固定具本体１には上記のように、ビス孔１０に該ビス孔１０の周縁より内方に向けて突設された係止片３が設けられているので、タッピングビス２をやや回転しながらビス孔１０に挿入すると、係止片３がタッピングビス２のねじ山２１間に挿入され、これによってタッピングビス２は自立するので、タッピングビス２の締め付けを効率よく行なうことができる。
【００５９】
＜パターン３＞
まず、根太材５上に配置されたデッキ材（１枚目のデッキ材）４の蟻溝４３に、固定具本体１の第３の縦壁１４を引っ掛けておく。
【００６０】
次に、相隣り合うデッキ材（２枚目のデッキ材）４を根太材５上に載置して隣接させる。この時、図８に示すように、第３の縦壁１４を蟻溝４３に挿入・係止して固定具Ｐを仮置きすることができるため、２枚目のデッキ材４を配置する間、固定具Ｐを手で支持する必要はなく、効率的に作業を実施することができる。
【００６１】
そして、デッキ材４同士の隙間から固定具Ｐのタッピングビス２を固定具本体１のビス孔１０に挿入するとともに補助孔１９を貫通させて根太材５に螺入すれば、第１と第２の縦壁１２，１３の舌片１６の両側に位置する食込み部１７，１７がデッキ材４の端リブ４４に食込んでいき、固定具本体１の舌片１６の幅Ｗだけ間隔をあけて、相隣り合うデッキ材４同士が強固に連結される。
【００６２】
以下、順次、前記作業を繰り返すことにより、複数のデッキ材４，４，・・・が互いに並設されデッキＤが形成される。この際、舌片１６の幅Ｗ分の間隔で、等間隔に複数のデッキ材４，４，・・・が整然と配置されるため、外観的に美しいデッキＤが形成される。また、食込み部１７により強固に端リブ４４が固定されるので、設置場所の雰囲気温度の差により発生するデッキ材４の伸縮を抑えることができる。
【００６３】
＜パターン４＞
まず、タッピングビス２を固定具本体１のビス孔１０及び補助孔１９に挿入してタッピングビス２を固定具本体１に取り付けておいてから、このタッピングビス２が予め取り付けられた状態の固定具Ｐを、根太材５上に配置されたデッキ材（１枚目のデッキ材）４の蟻溝４３に引っ掛ける。あるいは、根太材５上に配置されたデッキ材（１枚目のデッキ材）４の蟻溝４３に、固定具本体１を引っ掛けた後、タッピングビス２を固定具本体１のビス孔１０に挿入する。
【００６４】
次に、タッピングビス２の先端部を根太材５に少し螺入して固定具本体１を仮固定した後、相隣り合うデッキ材（２枚目のデッキ材）４を根太材５上に載置して隣接させる。
【００６５】
そして、固定具Ｐのタッピングビス２を固定具本体１のビス孔１０から補助孔１９を貫通して根太材５に螺入すれば、第１と第２の縦壁１２，１３の舌片１６の両側に位置する食込み部１７，１７がデッキ材４の端リブ４４に食込んでいき、固定具本体１の舌片１６の幅Ｗだけ間隔をあけて、相隣り合うデッキ材４同士が強固に連結される。
【００６６】
以下、順次、前記作業を繰り返すことにより、複数のデッキ材４，４，・・・が互いに並設されデッキＤが形成される。この際、舌片１６の幅Ｗ分の間隔で、等間隔に複数のデッキ材４，４，・・・が整然と配置されるため、外観的に美しいデッキＤが形成される。また、食込み部１７により強固に端リブ４４が固定されるので、設置場所の雰囲気温度の差により発生するデッキ材４の伸縮を抑えることができる。
【００６７】
このパターンの場合、固定具本体１を上記したように仮固定することで１枚目のデッキ材４が根太材５上に仮固定されるため、２枚目のデッキ材４を根太材５上に載置して隣接させる際、仮に２枚目のデッキ材４が１枚目のデッキ材４に直接又は固定具本体１を介して勢いよく当たるようなことがあっても、１枚目のデッキ材５が根太材５上でずれることがない。このため、すべてのデッキ材４を根太材５上の所定の位置に載置することができる。なお、上記の仮固定は少なくとも１枚目のデッキ材４に係止された固定具本体１について行えばよい。
【００６８】
以上説明した４つのパターンのいずれにおいても、第４の縦壁１５の高さが第１と第２の縦壁１２，１３の高さＨより低くなされているため、２枚目のデッキ材４を根太材５上に載置して１枚目のデッキ材４に向けて根太材５上を滑らせて配置する際、第４の縦壁１５の下端は蟻溝４３の入口に位置する端リブ４４の上端よりも上方に位置しているため、第４の縦壁１５は邪魔にならず、効率よく作業を実施することができる。
【００６９】
なお、上記いずれのパターンにおいても、デッキ材４を配置する間隔、すなわち舌片１６の幅Ｗについては、固定具Ｐのタッピングビス２を螺入するときに用いる工具（例えば、電動ドリルのビット）を挿入し得る間隔でありさえすればよく、デッキＤの外観を検討して適宜設計すれば良い。
【００７０】
−デッキ材の取り外し方法−
上記のようにして連結固定された複数のデッキ材４，４，・・・のうちの１つのデッキ材を取り外す手順について説明する。
【００７１】
まず、図１０に示すように、取り外す予定のデッキ材４の両端に存する固定具Ｐのタッピングビス２を根太材５及び固定具本体１からデッキ材４同士の隙間を介して抜き取る。
【００７２】
次に、取り外す予定のデッキ材４を水平姿勢を保ったまま上方に引き上げる。すると、デッキ材４の両端に存する固定具本体１はそれぞれデッキ材４の両端の端リブ４４にそれぞれ引っ掛かったままなので、デッキ材４とともにその両端に存する固定具本体１も上方に引き上げられ、図１１に示すように、やがて固定具本体１が隣接するデッキ材４の上側の端リブ４４に当たり、固定具本体１の舌片１６が隣接するデッキ材４の間から抜け出る。
【００７３】
続いて、デッキ材４の一端側、つまり固定具本体１の第４の縦壁１５が引っ掛かっている方の端リブ４４が存する側を引き上げると、図１２に示すように、固定具本体１が隣接するデッキ材４の方へ傾き、第４の縦壁１５がデッキ材４の端リブ４４から離れる。
【００７４】
その後、図１３に示すように、デッキ材４の一端側をさらに引き上げてから、デッキ材４を引き抜き、取り外しを完了する。
【００７５】
なお、取り外した後に別のデッキ材４を取り付けるには、該別のデッキ材４の他端側（図１３において左側）の蟻溝４３に固定具本体１の第３の縦壁１４を引っ掛けておいてから、該デッキ材４の一端側を、今度は他端側よりも下げて、隣接するデッキ材（図１３において根太材５上の右側のデッキ材）４の蟻溝４３に係止されている固定具本体１の第４の縦壁１５の直下に該一端側の端リブ４４を滑り込ませ、次いで該デッキ材４の他端側を根太材５上に接地させる。ここで、該デッキ材４の他端側が、隣接するデッキ材（図１３において根太材５上の左側のデッキ材）４の一端とすれ違うとき、該デッキ材４の他端側の蟻溝４３に引っ掛けられている固定具本体１は、根太材５上のデッキ材４の一端と当たり、第３の縦壁１４の下端を中心に該蟻溝４３の内側に傾くので、固定具本体１は該デッキ材４と根太材５上のデッキ材との間で挟まることなく両デッキ材４の間を通過する。
【００７６】
本実施形態においては、デッキ材４を固定する固定具として説明したが、特にこれに限定されるものではなく、壁材や天井材を固定する固定具等、要は被固定部を備えた材料をタッピングビスを用いて固定する用途に適用することができ、垂直方向に固定具を配置したり、水平上向き方向（天井向き）に固定具を配置したとしても、固定具本体１からタッピングビス２が抜け落ちることがなく、かつ固定具本体１に対してタッピングビス２が略直立しているため、非常に効率よく作業を実施することができるのである。
【産業上の利用可能性】
【００７７】
本発明は、例えば遊歩道や公園施設において設置されるベンチやテーブル、八ツ橋、ボードウォークの他、競技場観覧席、或いはベランダやテラスの直貼り式デッキにおいて、仕上材として使用される合成樹脂、合成木材、天然木材製のデッキ材を根太材に固定する場合に適用可能である。
【符号の説明】
【００７８】
１    固定具本体
１０  ビス孔
１１  平板
１２  第１の縦壁
１３  第２の縦壁
１４  第３の縦壁
１５  第４の縦壁
１６  舌片
１７  食込み部
１８  補助片
１９  補助孔
２０  凹み部
２    タッピングビス
２１  ねじ山
２２  谷部
３    係止片
４    デッキ材
４１  平坦部
４２  縦リブ
４３  蟻溝
４４  端リブ
５    根太材
Ｐ    固定具
Ｈ    食込み部の高さ
Ｄ    デッキ
Ｗ    舌片の幅
【図１】
0005550652.tif 000002
【図２】
0005550652.tif 000003
【図３】
0005550652.tif 000004
【図４】
0005550652.tif 000005
【図５】
0005550652.tif 000006
【図６】
0005550652.tif 000007
【図７】
0005550652.tif 000008
【図８】
0005550652.tif 000009
【図９】
0005550652.tif 000010
【図１０】
0005550652.tif 000011
【図１１】
0005550652.tif 000012
【図１２】
0005550652.tif 000013
【図１３】
0005550652.tif 000014